(57)【要約】【課題】  浴槽内湯水の温度変化によって開閉する低コストの自動排水栓を提供する。【解決手段】  浴槽の湯水を排出する排水孔と、形状記憶素子製の感温ばね及びバイアス用ばねとの相互作用により、前記排水孔の流路を所定の温度で開閉する弁体を備える。【選択図】図１
0003130055.tif 000002
【実用新案登録請求の範囲】
【請求項１】
浴槽内の湯水を排出する排水孔と、形状記憶素子製の感温ばね及びバイアス用ばねとの相互作用により、前記排水孔の流路を所定の温度で開閉する弁体を備えることを特徴とする浴槽自動排水栓。
【請求項２】
前記バイアス用ばねの代りに、前記弁体に作用する重力及び浴槽内湯水の圧力を利用した請求項１に記載の浴槽自動排水栓。
【請求項３】
前記感温ばね及びバイアス用ばねとの相互作用の代りに、熱膨張・収縮性感温体より発する応力を利用した請求項１に記載の浴槽自動排水栓。
【考案の詳細な説明】
【技術分野】
【０００１】  本考案は、浴槽の自動排水栓装置に関するものである。
【背景技術】
【０００２】  従来浴槽の自動排水栓は、電気式やワイヤー式の遠隔操作により任意で操作するものがある。
【考案の開示】
【考案が解決しようとする課題】
【０００３】  主にホテルなどの商業施設で使われる浴槽において、利用客の任意による操作では、使用後の排水操作を行わない場合が多々あり、浴室内の結露、排水時間待ちなどによる清掃時間の遅延、さらには加水分解による浴槽表面劣化の促進などの問題点がある。
【課題を解決するための手段】
【０００４】  浴槽内の湯水を排出する排水孔と、形状記憶素子製の感温ばね及びバイアス用ばねとの相互作用により、前記排水孔の流路を所定の温度で開閉する弁体を備えることを特徴とする浴槽自動排水栓である。【０００５】  また、前記バイアス用ばねの代りに、前記弁体に作用する重力及び浴槽内湯水の圧力を利用したり、前記感温ばね及びバイアス用ばねとの相互作用の代りに、熱膨張・収縮性感温体より発する応力を利用する、前記浴槽自動排水栓である。
【考案の効果】
【０００６】  任意の操作を必要とせず所定の温度を下回った浴槽内湯水を排出する事ができ浴室内の早期乾燥、湯水排出時間の省略などによる清掃時間の短縮、及び浴槽表面の加水分解による劣化を抑制するなどの効果を得る事ができる。
【実施例】
【０００７】  以下本考案の実施例について図面を用いて説明する。
［図１］において、浴槽底面（１）に管内で支持され上下動可能なロッド（４）を備えた浴槽自動排水栓本体（２）を、本体固定ナット（３）で固定する。浴槽に例えば４０度のお湯が注がれると、圧縮されていた形状記憶合金製の感温ばね（７）が記憶された形状に伸び、バイアス用ステンレスばね（６）が圧縮され、ロッド（４）を押し下げ、ゴムパッキン（８ａ）が流路を塞ぎお湯が留められる。【０００８】  さらに溜められたお湯の温度が、例えば３５度を下回ると〔図２〕のように、形状記憶合金製の感温ばね（７）が変態し、バイアス用ステンレスばね（６）によって圧縮され、ロッド（４）が押し上げられ流路が開きお湯は排出される。【０００９】  このとき、形状記憶合金製の感温ばねとして例えばニッケルチタン合金製のものを使用し、約３５度を境にマルテンサイト相とオーステナイト相とに変態を繰返し、オーステナイト相ではバイアス用ステンレスばね（６）のばね力に勝りロッド（４）を押し下げ、マルテンサイト相ではバイアス用ステンレスばね（６）のばね力が勝りロッド（４）を押し上げるようにする。【００１０】  他の方法としては、弁が下がったときに排水する構造を採ったとき、バイアス用ばねの代わりに弁体に作用する重力や浴槽に溜められた湯水の圧力などによって弁を開く方法や、形状記憶素子製の感温ばね及びバイアス用ばねの相互作用による応力の代りに熱膨張・収縮性の感温ワックスなどから発する応力を利用する方法もある。【００１１】  また、本考案では浴槽に溜められた湯水が所定の温度より高いときは排水されないため、現行の他設排水栓との併用が望ましいが［図３］のように周囲をゴム体（１０）で被い、上部にポールチェーン（９）などを取付けることや遠隔操作式の排水栓に組み込むことにより、自動排水の他に任意による操作も兼ね備えることができる。さらには排水路を閉じた状態で固定するロック機能を備えると、所定の温度より低温の湯水も溜めることができ便利である。
【図面の簡単な説明】
【００１２】
【図１】本考案の閉路状態の断面模式図
【図２】本考案の開路状態の断面模式図
【図３】本考案の他方式取付状態を示す断面模式図
【符号の説明】
【００１３】    １．浴槽底面
２．浴槽自動排水栓本体
３．本体固定ナット
４．ロッド
５．通水孔
６．バイアス用ステンレスばね
７．形状記憶合金製の感温ばね
８．ゴムパッキン
９．ボールチェーン
１０．ゴム体
１１．他設排水孔
【図１】
0003130055.tif 000003
【図２】
0003130055.tif 000004
【図３】
0003130055.tif 000005
【手続補正書】
【提出日】平成18年12月4日(2006.12.4)
【手続補正１】
【補正対象書類名】明細書
【補正対象項目名】０００４
【補正方法】変更
【補正の内容】
【０００４】  浴槽内湯水を排出する排水孔と前記排水孔を開閉する弁体と、前記弁体を開弁するバイアスばねと、前記浴槽内に注がれるお湯によって加熱され、所定の温度以上で開弁状態の前記弁体を閉弁する形状記憶素子性の感温ばねを備えることを特徴とする浴槽自動排水栓である。
【手続補正２】
【補正対象書類名】明細書
【補正対象項目名】０００５
【補正方法】変更
【補正の内容】
【０００５】  或いは、前記弁体の開弁手段が、自体に掛かる重力の作用、または前記浴槽内に溜められた湯水の水圧による作用、またはその両方である前記浴槽自動排水栓である。さらには、前記弁体の開閉手段に、前記浴槽内に注がれるお湯によって加熱膨張し、所定の温度以上で前記弁体を閉弁し、同お湯の温度低下によって冷され収縮し、所定の温度以下で前記弁体を開弁する熱膨張・収縮性感温体を備えることを特徴とする浴槽自動排水栓である。
【手続補正３】
【補正対象書類名】明細書
【補正対象項目名】００１０
【補正方法】変更
【補正の内容】
【００１０】  他の方法としては、［図４］に示すように浴槽に例えば４０度のお湯が注がれると、圧縮されていた形状記憶合金製の感温ばね（７）が記憶された形状に伸び、ロッド（４）を押し上げ、ゴムパッキン（８ａ）が流路を塞ぎお湯が溜められた後、湯温が例えば３５度を下回ると、形状記憶合金製の感温ばね（７）が変態しロッド（４）及びゴムパッキン（８ａ）から成る弁体自重及び、溜められていたお湯の水圧による作用でロッド（４）が下げられ、流路が開きお湯は排出される。また［図５］に示すように、浴槽に例えば４０度のお湯が注がれると排水流路内に備えられたシリンダー（１３）内に充填された熱膨張・収縮性感温ワックス（１２）が膨張し、可動弁（１４）が押し下げられ流路が塞がりお湯が溜められ、前記湯温が例えば３５度を下回ると前記熱膨張・収縮性感温ワックス（１２）が収縮し、可動弁（１４）が上方へ移動され流路が開きお湯は排出される。
【手続補正４】
【補正対象書類名】明細書
【補正対象項目名】００１２
【補正方法】変更
【補正の内容】
【００１２】
【図１】本考案の閉路状態の断面模式図である。
【図２】本考案の開路状態の断面模式図である。
【図３】本考案とゴム栓を組み合わせた断面模式図である。
【図４】本考案の他方法開弁手段を示す断面模式図である。
【図５】本考案の他方法弁体開閉手段を示す断面模式図である。
【手続補正５】
【補正対象書類名】明細書
【補正対象項目名】００１３
【補正方法】変更
【補正の内容】
【００１３】１．浴槽底面
２．浴槽自動排水栓本体
３．本体固定ナット
４．ロッド
５．通水孔
６．バイアス用ステンレスばね
７．形状記憶合金製の感温ばね
８．ゴムパッキン
９．ボールチェーン
１０．ゴム体
１１．他設排水孔
１２．熱膨張・収縮性感温ワックス
１３．シリンダー
１４．可動弁
【手続補正６】
【補正対象書類名】実用新案登録請求の範囲
【補正対象項目名】全文
【補正方法】変更
【補正の内容】
【実用新案登録請求の範囲】
【請求項１】
浴槽内湯水を排出する排水孔と、前記排水孔を開閉する弁体と、前記弁体を開弁するバイアスばねと、前記浴槽内に注がれるお湯によって加熱され、所定の温度以上で、開弁状態の前記弁体を閉弁する形状記憶素子製の感温ばねを備えることを特徴とする浴槽自動排水栓。
【請求項２】
浴槽内温水を排出する排水孔と、前記排水孔を開閉し、自体に掛かる重力の作用で開弁される弁体と、前記浴槽内に注がれるお湯によって加熱され、所定の温度以上で開弁状態の前記弁体を閉弁する形状記憶素子製の感温ばねを備えることを特徴とする浴槽自動排水栓。
【請求項３】
前記弁体の開弁手段が、前記浴槽内に溜められた湯水の水圧による作用である請求項２に記載の浴槽自動排水栓。
【請求項４】
浴槽内湯水を排出する排水孔と、前記排水孔を開閉する弁体と、前記浴槽内に注がれるお湯によって加熱膨張し、所定の温度以上で前記弁体を閉弁し、同お湯の温度低下によって冷され収縮し、所定の温度以下で前記弁体を開弁する熱膨張・収縮性感温体を備えることを特徴とする浴槽自動排水栓。
【手続補正７】
【補正対象書類名】図面
【補正対象項目名】図４
【補正方法】追加
【補正の内容】
【図４】
0003130055.tif 000006
【手続補正８】
【補正対象書類名】図面
【補正対象項目名】図５
【補正方法】追加
【補正の内容】
【図５】
0003130055.tif 000007